(57)【要約】【課題】運搬、収納等を簡単にすることができるスタンドライトを提供する。【解決手段】スタンドライト１は、複数のキャスタ２１が設けられた基台２と、基台２に上下方向Ｈに沿って起立されたランプ台３と、互いに平行な状態でランプ台３に上下方向Ｈに沿って起立された複数の長尺状ランプ４とを備える。基台２は、ランプ台３に固定された基台固定部２２と、複数のキャスタ２１のうちの少なくともいずれかが設けられた基台可変部２３とを有する。基台可変部２３は、基台２の、上下方向Ｈに直交する平面内の外形を小さくするよう、基台固定部２２に対して回動可能である。【選択図】図１
0003213910.tif 000002
【実用新案登録請求の範囲】
【請求項１】
複数のキャスタが設けられた基台と、前記基台に上下方向に沿って起立されたランプ台と、互いに平行な状態で前記ランプ台に前記上下方向に沿って起立された複数の長尺状ランプと、を備え、
前記基台は、
前記ランプ台に固定された基台固定部と、
複数の前記キャスタのうちの少なくともいずれかが設けられ、前記基台の、前記上下方向に直交する平面内の外形を小さくするよう、前記基台固定部に対して、回動、スライド又は着脱可能である基台可変部と、を有する、スタンドライト。
【請求項２】
前記基台可変部は、前記基台固定部の前記平面内の互いに対向する位置に一対に設けられており、かつ、前記キャスタが前記平面内の内側に向けられるよう９０°以上回動して、折り畳み可能である、請求項１に記載のスタンドライト。
【請求項３】
前記スタンドライトは、
前記ランプ台の前記平面内の中心位置に前記上下方向に沿って起立された支柱と、
光を透過させる材料から構成され、前記長尺状ランプを個別に収容するとともに、前記支柱の中心軸線の周りの周方向に等間隔に配置された複数の筒状保護管と、
前記支柱の上端部及び複数の前記筒状保護管の上端部に取り付けられた天井蓋と、をさらに備える、請求項１又は２に記載のスタンドライト。
【請求項４】
前記天井蓋は、弾性変形可能なゴム材料から構成されているとともに、前記筒状保護管よりも前記平面内の外方へ突出している、請求項３に記載のスタンドライト。
【請求項５】
前記ランプ台には、前記長尺状ランプを支持する支持材が前記上下方向に沿って起立されており、
前記支持材は、前記長尺状ランプと平行な状態で前記筒状保護管内に配置されている、請求項３又は４に記載のスタンドライト。
【考案の詳細な説明】
【技術分野】
【０００１】
本考案は、複数の長尺状ランプを備えるスタンドライトに関する。
【背景技術】
【０００２】
スタンド型ライト、照明スタンドとも呼ばれるスタンドライトは、例えば、建築現場等の作業場において種々の作業を行う際に、作業場を照明するために用いられる。また、スタンドライトは、作業場において必要な場所に適宜移動して使用するために、複数の長尺状ランプが配置された基台に複数のキャスタを有する。このようなスタンドライトとしては、例えば、特許文献１に記載された照明スタンド等がある。
【先行技術文献】
【特許文献】
【０００３】
【特許文献１】実用新案登録３１３７６１４号公報
【考案の概要】
【考案が解決しようとする課題】
【０００４】
スタンドライトにおける基台は、複数の長尺状ランプが起立した状態を安定して維持するために、複数の長尺状ランプが平面内において占める面積よりも広い面積に形成されている。しかし、特許文献１等の従来のスタンドライトにおいては、運搬、収納等を簡単に行うための工夫はなされていない。つまり、スタンドライトは、横に倒した状態にした方が効率的に運搬、収納等を行うことができる。
【０００５】
従来のスタンドライトを横に倒したときには、基台が邪魔をし、基台が設けられた下側部位が上側部位よりも高くなって、複数の長尺状ランプが傾斜する状態でスタンドライトを倒すことになる。従って、スタンドライトの運搬、収納等を簡単に行うためには更なる工夫が必要とされる。
【０００６】
本考案は、かかる課題に鑑みてなされたもので、運搬、収納等を簡単にすることができるスタンドライトを提供しようとして得られたものである。
【課題を解決するための手段】
【０００７】
本考案の一態様は、複数のキャスタが設けられた基台と、前記基台に上下方向に沿って起立されたランプ台と、互いに平行な状態で前記ランプ台に前記上下方向に沿って起立された複数の長尺状ランプと、を備え、
前記基台は、
前記ランプ台に固定された基台固定部と、
複数の前記キャスタのうちの少なくともいずれかが設けられ、前記基台の、前記上下方向に直交する平面内の外形を小さくするよう、前記基台固定部に対して、回動、スライド又は着脱可能である基台可変部と、を有する、スタンドライトにある。
【考案の効果】
【０００８】
前記一態様のスタンドライトにおける基台は、基台の平面内の外形を小さくするよう、基台固定部に対して、回動、スライド又は着脱可能な基台可変部を有する。そして、スタンドライトの運搬、収納等を行うときには、基台固定部に対して基台可変部を、回動もしくはスライドさせるか、又は取り外す。このとき、基台可変部が設けられた位置においては、基台がランプ台から平面内の外方へ突出する量を小さくすることができる。
【０００９】
そして、基台可変部を、回動、スライド又は取り外した状態において、スタンドライトを、基台可変部が設けられた側を下側にして、横に倒す。これにより、スタンドライトを横に倒す際に、基台が邪魔にならないようにし、複数の長尺状ランプが床面等に対して平行に近くなる状態でスタンドライトを横に倒すことができる。
【００１０】
それ故、前記一態様のスタンドライトによれば、その運搬、収納等を簡単にすることができる。
【図面の簡単な説明】
【００１１】
【図１】実施形態１にかかる、スタンドライトを示す正面図。
【図２】実施形態１にかかる、スタンドライトを示す側面図。
【図３】実施形態１にかかる、スタンドライトを示す、図１のIII−III矢視断面図。
【図４】実施形態１にかかる、スタンドライトの長尺状ランプの下端部付近を拡大して示す断面図。
【図５】実施形態１にかかる、スタンドライトの長尺状ランプの上端部付近を拡大して示す断面図。
【図６】実施形態１にかかる、スタンドライトを示す上面図。
【図７】実施形態１にかかる、スタンドライトを示す下面図。
【図８】実施形態１にかかる、スタンドライトの一部であって、折り畳まれた基台可変部を示す正面図。
【図９】実施形態１にかかる、基台可変部が折り畳まれた状態のスタンドライトを示す側面図。
【図１０】実施形態１にかかる、基台可変部が折り畳まれた状態のスタンドライトを示す下面図。
【図１１】実施形態１にかかる、段積みされた複数のスタンドライトを示す正面図。
【図１２】実施形態２にかかる、スタンドライトを示す正面図。
【図１３】実施形態２にかかる、他のスタンドライトを示す正面図。
【考案を実施するための形態】
【００１２】
前述したスタンドライトにかかる好ましい実施形態について、図面を参照して説明する。
＜実施形態１＞
本形態のスタンドライト１は、図１〜図３に示すように、複数のキャスタ２１が設けられた基台２と、基台２に上下方向Ｈに沿って起立されたランプ台３と、互いに平行な状態でランプ台３に上下方向Ｈに沿って起立された複数の長尺状ランプ４とを備える。基台２は、ランプ台３に固定された基台固定部２２と、複数のキャスタ２１のうちの少なくともいずれかが設けられた基台可変部（基台可動部）２３とを有する。基台可変部２３は、基台２の、上下方向Ｈに直交する平面内（平面方向）の外形を小さくするよう、基台固定部２２に対して回動可能である。
【００１３】
なお、平面内とは、上下方向Ｈに直交する全ての方向を含む仮想平面内のことをいう。平面内は、平面方向ということもできる。
【００１４】
以下に、本形態のスタンドライト１について詳説する。
（ランプ台３及び長尺状ランプ４）
図１〜図３に示すように、スタンドライト１は、複数のランプ台３及び長尺状ランプ４が起立された、鉛直方向に平行に配置される上下方向Ｈの中心軸線の周りの全方向へ光を発することができるものである。また、スタンドライト１は、屋内において使用するものである。スタンドライト１は、例えば、住宅、施設等の建物の室内工事を行う際に使用することができる。なお、防水対策を行った場合には、スタンドライト１は屋外において使用するものとしてもよい。
【００１５】
ランプ台３及び複数の長尺状ランプ４は、スタンドライト１が起立する状態を安定して維持するために、基台２の平面内の中心位置に設けられている。なお、ランプ台３及び複数の長尺状ランプ４は、基台２の平面内の中心位置から若干ずれた位置に設けられていてもよい。
【００１６】
図３に示すように、ランプ台３の平面内の中心位置には、上下方向Ｈに沿って支柱５１が起立されている。支柱５１は、金属製の丸棒によって形成されている。支柱５１の平面内の断面の外形は、スタンドライト１におけるスペースをできるだけ占有しないように、長尺状ランプ４の平面内の断面の外形よりも小さい。
【００１７】
図４及び図５に示すように、複数の長尺状ランプ４は、長尺状ランプ４を保護するための筒状保護管４１内にそれぞれ収容されている。筒状保護管４１は、円筒形状に形成されている。各筒状保護管４１は、光を透過させる透明材料から構成されており、長尺状ランプ４を個別に収容する。筒状保護管４１は、上下方向Ｈに起立する状態でランプ台３に設けられている。図３に示すように、長尺状ランプ４及び筒状保護管４１は、支柱５１の上下方向Ｈに沿った中心軸線の周りの周方向に等間隔に配置されている。
【００１８】
図３に示すように、長尺状ランプ４及び筒状保護管４１は、支柱５１の周りに４本配置されている。言い換えれば、４本の長尺状ランプ４及び筒状保護管４１は、支柱５１の中心軸線から平面内における同じ半径の位置に、周方向に互いに９０°ずれた位置に配置されている。４本の長尺状ランプ４及び筒状保護管４１は、平面内において筒状保護管４１の中心を通る仮想線が正方形状を形成する状態で並ぶ。
【００１９】
なお、長尺状ランプ４及び筒状保護管４１は、４本とする以外にも、支柱５１の周りに配置された３本、５本、６本等としてもよい。
【００２０】
図３〜図５に示すように、ランプ台３には、長尺状ランプ４を支持する支持材５２が上下方向Ｈに沿って起立されている。ランプ台３には、各長尺状ランプ４及び各筒状保護管４１に対応する位置に、長尺状ランプ４及び筒状保護管４１の本数と同じ本数の支持材５２が配置されている。長尺状ランプ４の上端部及び下端部は、ブラケット５３によって支持材５２に取り付けられている。
【００２１】
支持材５２は、長尺状ランプ４と平行な状態で筒状保護管４１内に配置されている。支持材５２は、筒状保護管４１内における、支柱５１の中心軸線を中心とする径方向の内周側の位置に配置されている。言い換えれば、支持材５２は、筒状保護管４１内において、長尺状ランプ４に対して内周側から対向する位置に配置されている。
【００２２】
筒状保護管４１内に支持材５２を配置することにより、長尺状ランプ４が配置された状態の筒状保護管４１内の空きスペースを、支持材５２を配置するためのスペースとして有効に活用することができる。
【００２３】
図４に示すように、支柱５１、各筒状保護管４１及び各支持材５２の各下端部は、ランプ台３に取り付けられた下側支持部材５４によって支持されている。図５に示すように、支柱５１、各筒状保護管４１及び各支持材５２の各上端部は、上側支持部材５５によって支持されている。長尺状ランプ４及び筒状保護管４１は、各支持部材５４，５５によって一体化された支柱５１及び各支持材５２に支えられて、起立状態が保たれている。
【００２４】
図３及び図５に示すように、支柱５１、４本の筒状保護管４１及び４本の支持材５２の各上端部であって、上側支持部材５５の上側及び外周側には、弾性変形可能なゴム材料から構成された天井蓋５６が取り付けられている。天井蓋５６は、各筒状保護管４１よりも平面内の外方（外周側）へ突出している。天井蓋５６は、平面内における長尺状ランプ４及び筒状保護管４１の配置状態に合わせて、平面内における４つの角部が曲面状（Ｒ形状）に形成された正方形状を有している。
【００２５】
天井蓋５６は、スタンドライト１を横に倒したときに運搬台、建物等の床面Ｇに接触して、筒状保護管４１及び長尺状ランプ４を保護するためのものである。また、天井蓋５６は、弾性変形可能なゴム材料から構成されていることにより、スタンドライト１を横に倒したときの衝撃を吸収することができる。
【００２６】
本形態の長尺状ランプ４は、ＬＥＤ（発光ダイオード）による光を発するものである。長尺状ランプ４は、上下方向Ｈに沿って配置された回路基板と、回路基板の上下方向Ｈに沿って複数並ぶＬＥＤとを有する。各回路基板には、ＬＥＤへ電力を安定して供給するための制御回路が設けられている。
【００２７】
なお、長尺状ランプ４は、ハロゲンランプ、蛍光灯等としてもよい。長尺状ランプ４は、直流電力によって点灯するものだけでなく、交流電力によって点灯するものとしてもよい。
【００２８】
ランプ台３には、１００Ｖ又は２００Ｖの商用電源に接続するための電源コードが接続される。また、ランプ台３には、商用電源による交流電力を、長尺状ランプ４を構成するＬＥＤに使用する直流電力に変換するための変換器、商用電源を供給可能なコンセント口、漏電遮断器（ブレーカ）、長尺状ランプ４の全体の点灯用スイッチ等が配置されている。
【００２９】
図１及び図２に示すように、スタンドライト１の側面には、スタンドライト１を持ち運ぶ際に作業者が把持することができる取手５７が設けられている。取手５７は、その強度を確保するために、支柱５１に取り付けられている。本形態の取手５７は、支柱５１における、ランプ台３の上側に隣接する位置に取り付けられている。本形態の取手５７は、支柱５１における、基台固定部２２に対して基台可変部２３が設けられた側、言い換えればスタンドライト１が倒される際に上下方向に位置する側に取り付けられている。そして、取手５７は、後述する図１１に示すように、複数のスタンドライト１Ａ，１Ｂを上下に段積みする際に、上側に隣接するスタンドライト１Ｂに干渉しない位置及び大きさで設けられている。
【００３０】
また、取手５７は、複数のスタンドライト１Ａ，１Ｂを段積みする際に、筒状保護管４１の間に形成された隙間に挿入されるようにしてもよい。この場合には、複数のスタンドライト１Ａ，１Ｂを段積みする際に、取手５７を、スタンドライト１Ａ，１Ｂ同士の位置ずれを防止するために利用してもよい。
【００３１】
また、取手５７は、支柱５１における、基台固定部２２に対して基台可変部２３が設けられていない側、言い換えればスタンドライト１が倒される際に横方向に位置する側に取り付けてもよい。
【００３２】
また、スタンドライト１には、４本の筒状保護管４１の全体の周囲を囲む補助部材５８が設けられている。補助部材５８は、例えば、横に倒した状態のスタンドライト１を荷積みする際に、荷積み用のロープを掛けるために使用することができる。
【００３３】
（基台２）
図６及び図７に示すように、基台２は、複数のキャスタ２１を設けるために平板状に形成されている。本形態のキャスタ２１は、基台２の平面内における四方に分散して４つ設けられている。本形態の基台可変部２３は、基台固定部２２の平面内の互いに対向する位置に一対に設けられている。言い換えれば、基台可変部２３は、平面内における第１方向Ｄ１の両側に一対に設けられている。第１方向Ｄ１は、いずれか２つの長尺状ランプ４及び筒状保護管４１が並ぶ方向に平行な方向のことをいう。そして、スタンドライト１の運搬、収納等を行う際には、平面内の内側に向けて基台可変部２３が折り畳まれる。
【００３４】
一対の基台可変部２３は、平面内の第１方向Ｄ１に直交する第２方向Ｄ２に沿って設けられた回動軸部２４を介して、基台固定部２２に回動可能に取り付けられている。回動軸部２４は、蝶番を用いて構成されており、基台固定部２２に対して基台可変部２３を、一方向としての内側方向へ回動可能にするものである。
【００３５】
各基台可変部２３は、図６及び図７に示すように、スタンドライト１の使用時において、上下方向Ｈに沿った支柱５１の中心軸線に垂直な状態を形成する通常位置２３１と、図８、図９及び図１０に示すように、スタンドライト１の運搬、収納時において、通常位置２３１から上下方向Ｈの下側へ回動して、上下方向Ｈに沿う状態を形成する回動位置２３２とに回動可能である。各基台可変部２３は、キャスタ２１が平面内の内側に向けられるよう９０°回動して、折り畳み可能である。図８及び図１０に示すように、各基台可変部２３が回動位置２３２にあるときには、各基台可変部２３に設けられたキャスタ２１が互いに対向する。
【００３６】
なお、各基台可変部２３は、通常位置２３１から回動位置２３２に向けて、９０°以上、例えば９０〜１１０°回動してもよい。各基台可変部２３が回動位置２３２に回動したときには、平面内の第１方向Ｄ１における基台２の幅が大きく減少し、第１方向Ｄ１において、複数の筒状保護管４１による外形から基台２が突出する量が大きく減少する。
【００３７】
これにより、基台２の第１方向Ｄ１における外幅が、各筒状保護管４１によるスタンドライト１の側面の第１方向Ｄ１における外幅に近づき、スタンドライト１の全体の平面内の第１方向Ｄ１における外形が小さくなる。そして、スタンドライト１を、第１方向Ｄ１が鉛直方向を向くように倒したときには、スタンドライト１の上下方向Ｈを、平坦な床面Ｇにできるだけ平行な状態にすることができる。
【００３８】
図１１に示すように、一対の基台可変部２３が回動位置２３２にあるときには、一対の基台可変部２３同士の間の第１方向Ｄ１の外幅と、天井蓋５６の第１方向Ｄ１の外幅とがほぼ同じになる。本形態のスタンドライト１は、収納時において、複数のスタンドライト１Ａ、Ｂを上下に段積みする（鉛直方向に積み重ねる）ことができるようにしたものである。
【００３９】
基台２の平面内の互いに対向する位置に設けられた一対の基台可変部２３が、平面内の内側へ折り畳まれることにより、複数のスタンドライト１Ａ，１Ｂを段積みすることができる。そして、スタンドライト１の運搬及び収納を一層容易にすることができる。
【００４０】
図１、図２及び図７に示すように、本形態の全てのキャスタ２１は、基台可変部２３の、床面Ｇに対向する下面に設けられている。キャスタ２１は、車輪部２１１と、車輪部２１１を回動可能に支持する車輪支持部２１２とを有する。キャスタ２１は、各基台可変部２３に２つずつ設けられている。全てのキャスタ２１は、その車輪部２１１が、上下方向Ｈに沿った軸線の周りに自在に回転可能な自在キャスタ２１によって構成されている。
【００４１】
なお、基台固定部２２に２つのキャスタ２１を配置し、各基台可変部２３には、キャスタ２１を１つずつ設けることもできる。また、横に並ぶ２つのキャスタ２１は、上下方向Ｈに沿った軸線の周りに回転不能な固定キャスタ２１とすることもできる。
【００４２】
（スタンドライト１の全体の作用効果）
本形態のスタンドライト１における基台２は、基台２の平面内の外方への突出量を小さくするよう、基台固定部２２に対して回動可能な一対の基台可変部２３を有する。そして、スタンドライト１の運搬、収納等を行うときには、基台固定部２２に対して一対の基台可変部２３を、通常位置２３１から回動位置２３２へ回動させる。このとき、平面内において、一対の基台可変部２３が対向する方向である第１方向Ｄ１においては、基台可変部２３がランプ台３から平面内の外方へ突出する量を小さくすることができる。
【００４３】
そして、図１１に示すように、一対の基台可変部２３が回動位置２３２にある状態において、スタンドライト１を、第１方向Ｄ１を鉛直方向に向けて横に倒す（寝かせる）。このとき、回動位置２３２に折り畳まれた基台可変部２３と天井蓋５６とが床面Ｇに接触して、スタンドライト１の側面が床面Ｇに配置される。
【００４４】
基台可変部２３が回動位置２３２に折り畳まれていることにより、スタンドライト１を横に倒す際に、基台２が邪魔にならないようにすることができる。また、基台可変部２３が回動位置２３２に折り畳まれていることにより、複数の長尺状ランプ４が床面Ｇに対して平行に近くなる状態でスタンドライト１を横に倒すことができる。
【００４５】
さらに、図１１に示すように、スタンドライト１Ａの上には、別のスタンドライト１Ｂを段積みすることもできる。すなわち、一対の基台可変部２３が回動位置２３２に折り畳まれていることにより、横に倒されたスタンドライト１Ａの上方に基台２がほとんど突出しない。これにより、下側のスタンドライト１Ａの基台可変部２３の上に、上側のスタンドライト１Ｂの基台可変部２３が載置される状態で、複数のスタンドライト１Ａ，１Ｂを整列して積み上げることができる。
【００４６】
そのため、スタンドライト１を運搬するとき、あるいは収納するときには、スタンドライト１を横に倒す（寝かせる）ことにより、スタンドライト１の扱いを容易にすることができる。また、複数のスタンドライト１がある場合には、スタンドライト１を段積みすることにより、運搬及び収納を簡単にすることができる。
【００４７】
それ故、本形態のスタンドライト１によれば、その運搬、収納等を簡単にすることができる。
【００４８】
＜実施形態２＞
本形態は、基台可変部２３を回動可能にする代わりに、スライド可能にするか、着脱可能にしたスタンドライト１について示す。
図１２に示すように、一対の基台可変部２３は、基台固定部２２に対して重なるようにスライドしてもよい。この場合の基台可変部２３は、基台スライド部ということができる。基台可変部２３が、上下方向Ｈに直交する平面内の第１方向Ｄ１の内側へスライドしたときには、基台２の第１方向Ｄ１の外形が小さくなる。
【００４９】
同図の左側に記載した基台可変部２３は、使用時の通常位置２３１にある状態を示し、同図の右側に記載した基台可変部２３は、運搬、収納時に第１方向Ｄ１の内側にスライドしたスライド位置２３３にある状態を示す。この場合には、一対の基台可変部２３は、スライド位置２３３にスライドさせたときには、互いに重ならないとともに、基台固定部２２の下面に配置される。
【００５０】
また、図１３に示すように、一対の基台可変部２３は、基台固定部２２に対して着脱可能にしてもよい。この場合の基台可変部２３は、基台着脱部ということができる。各基台可変部２３には、ビスの締付け等を行わずに、基台固定部２２との間で着脱することができるアタッチメント構造を設けることができる。
【００５１】
同図においては、基台可変部２３が、基台固定部２２から取り外された取外し位置２３４にある状態を示す。スタンドライト１の本体は、基台可変部２３が取り外された状態で運搬、収納等を行うことができる。基台固定部２２から取り外された基台可変部２３は、スタンドライト１の本体のいずれかの部位に取り付けておくことができる。また、スタンドライト１を使用するときには、基台固定部２２に基台可変部２３を取り付ける。
【００５２】
本形態のスタンドライト１によっても、実施形態１の場合と同様の作用効果を得ることができる。また、本形態のスタンドライト１のその他の構成、作用効果等については、実施形態１の場合と同様である。また、本形態においても、実施形態１に示した符号と同一の符号が示す構成要素は、実施形態１の場合と同様である。
【００５３】
本考案は、各実施形態のみに限定されるものではなく、その要旨を逸脱しない範囲においてさらに異なる実施形態を構成することが可能である。また、本考案は、様々な変形例、均等範囲内の変形例等を含む。
【符号の説明】
【００５４】
１  スタンドライト
２  基台
２１  キャスタ
２２  基台固定部
２３  基台可変部
３  ランプ台
４  長尺状ランプ
４１  筒状保護管
５１  支柱
５２  支持材
５６  天井蓋
【図１】
0003213910.tif 000003
【図２】
0003213910.tif 000004
【図３】
0003213910.tif 000005
【図４】
0003213910.tif 000006
【図５】
0003213910.tif 000007
【図６】
0003213910.tif 000008
【図７】
0003213910.tif 000009
【図８】
0003213910.tif 000010
【図９】
0003213910.tif 000011
【図１０】
0003213910.tif 000012
【図１１】
0003213910.tif 000013
【図１２】
0003213910.tif 000014
【図１３】
0003213910.tif 000015